(57)【要約】【課題】      第一ハンドルと第二ハンドルとを有し、前記ハンドルを絞ることによって、曲線可動スクープを三角ブレード付近のシトラスフルーツ中へと伸張し、セグメント形区画を形成する、片手で開閉操作が可能なシトラスフルーツ切片器を提供する。【解決手段】  曲線可動スクープの作動は、ユーザが第一ハンドルを第二ハンドル方向へ絞ることによって実現する。第一ハンドルのピンは、カム機構の細長スロットに作動的に接続され、第一ハンドルのその枢支位置での回転を引き起こす。よって、カム機構も曲線可動スクープと接続され、曲線可動スクープをシトラスフルーツ内に挿入させることとなる。【選択図】    図１
2004267747.tif 000002
【特許請求の範囲】
【請求項１】
第一ハンドルと第二ハンドルの少なくとも一方が、グリップと、ピンと、グリップ―ピン間に位置して枢支部材の開閉移動を可能とする枢支位置と、少なくとも第一ハンドルと第二ハンドルの何れかを開放位置に強いることが可能な弾性部材とを持った第一ハンドルおよび第二ハンドルと、
第一ハンドルのピンを作動的に連結し、前記ピンを受ける細長スロットを有し、更に一端にカム枢支位置と他端にスクープ端とを有したカム枢支位置とで構成したカム機構と、
前記カム機構のスクープ端に連結して、少なくとも第一ハンドルまたは第二ハンドルの何れかの動きに応じて、シトラスフルーツへの出入を可能とする、可動ブレードとを有した、
片手で開閉操作が可能なシトラスフルーツ切片器。
【請求項２】
請求項１に記載の切片器において、
通常三角ブレードが、第一ハンドルと第二ハンドルの反対側に固定され、前記三角ブレードと隣接の可動フレードとでセグメント形区画を形成するようにしたことを特徴とする、
片手で開閉操作が可能なシトラスフルーツ切片器。
【請求項３】
請求項２に記載の切片器において、
三角ブレードは、ステインレス鋼であることを特徴とする、
片手で開閉操作が可能なシトラスフルーツ切片器。
【請求項４】
請求項１に記載の切片器において、
前記ピンは、切片器が閉鎖位置へ移動するにつれて、カム枢支位置から遠ざかり、前記カム枢支位置とピンとの間の距離が継続的に加増することを特徴とする、
片手で開閉操作が可能なシトラスフルーツ切片器。
【請求項５】
請求項１に記載の切片器において、
第一ハンドルと第二ハンドルを閉鎖位置に作動させることで、第一ハンドルを第一方向へ回転させ、カム機構を反対の第二方向へ回転させることを特徴とする、
片手で開閉操作が可能なシトラスフルーツ切片器。    
【請求項６】
請求項１に記載の切片器は、
更にカム機構の移動を制限するストッパーを有することを特徴とする、
片手で開閉操作が可能なシトラスフルーツ切片器。
【請求項７】
請求項１に記載の切片器において、
前記弾性部材は、第一ハンドルと第二ハンドルを開放位置に促すトーションスプリングを有することを特徴とする、
片手で開閉操作が可能なシトラスフルーツ切片器。
【請求項８】
請求項１に記載の切片器において、
第一ハンドルのグリップは、少なくとも二本の指に合うように等高線状に形成されていることを有する、
片手で開閉操作が可能なシトラスフルーツ切片器。
【請求項９】
請求項１に記載の切片器において、
カム機構の細長いスロットの主軸は、通常第一ハンドルの主軸と平行に整列されることを有する、
片手で開閉操作が可能なシトラスフルーツ切片器。
【請求項１０】
グリップを有し、前記グリップとの接触部と枢支位置とを持ち、開閉作動可能な第一ハンドルレバーと、
一端にある枢支位置と、前記第一ハンドルレバーの接触部と滑動可能に接触するスクープと、前記スクープとの間に位置する細長部とを有する第二レバーと、
第二レバーに反作動方向に作用して第一ハンドルを開放位置へ促す弾性部材と、
第二レバーのスクープに作動的に接続し、第二レバーの作動が、第二レバーの開放位置と一致する縮径位置から閉鎖位置と一致する拡張位置への移動を可能とする曲線可動スクープとを有する、
片手で開閉操作が可能なシトラスフルーツ切片器。
【請求項１１】
請求項１０に記載の切片器において、
第二レバー上部に作動的に接続した曲線可動スクープが、三角ブレード方向へ伸張し、フルーツセグメントを捕獲するためのセグメント形区画を形成することを特徴とする、
片手で開閉操作が可能なシトラスフルーツ切片器。
【請求項１２】
請求項１１に記載の切片器において、
三角ブレードが、ステインレス鋼であることを特徴とする、
片手で開閉操作が可能なシトラスフルーツ切片器。
【請求項１３】
請求項１０に記載の切片器において、
第二レバーの枢支位置と第一ハンドルレバーの接触部分との間の距離は継続的に増加し、第一ハンドルレバーと第二ハンドルレバーとが開放位置から閉鎖位置へ移動することを特徴とする、
片手で開閉操作が可能なシトラスフルーツ切片器。
【請求項１４】
請求項１０に記載の切片器において、
閉鎖位置への作動は、第一ハンドルレバーを時計回り方向へ回転させ、第二レバーを反時計回り方向へ回転させることを特徴とする、
片手で開閉操作が可能なシトラスフルーツ切片器。
【請求項１５】
請求項１０に記載の切片器において、
第二ハンドルが、その移動を制限するストッパーを有したことを特徴とする、
片手で開閉操作が可能なシトラスフルーツ切片器。
【請求項１６】
請求項１０に記載の切片器において、
前記弾性部材が、第二ハンドルに接続したリニアスプリングであり、前記リニアスプリングが、第二ハンドルを開放位置へ促す役目をはたすことを有する、
片手で開閉操作が可能なシトラスフルーツ切片器。
【請求項１７】
請求項１０に記載の切片器において、
第一ハンドルレバーのグリップは、少なくとも２本の指を受けるように等高線状に成形されていることを特徴とする、
片手で開閉操作が可能なシトラスフルーツ切片器。
【請求項１８】
請求項１０に記載の切片器において、
第二レバーの縦部分は、一般的に前記ハンドルが開放位置にある場合、第一ハンドルレバーの主軸に沿っていることを有する、
片手で開閉操作が可能なシトラスフルーツ切片器。
【請求項１９】
請求項１０に記載の切片器において、第一ハンドルの接触部分と第二レバーの縦部分とは等高線上にあることを特徴とする、
片手で開閉操作が可能なシトラスフルーツ切片器。
【請求項２０】
請求項１０に記載の切片器において、
第一ハンドルの接触部と第二レバーの縦部は、低摩擦の低消耗抵抗面であることを特徴とする、
片手で開閉操作が可能なシトラスフルーツ切片器。
【発明の詳細な説明】
【技術分野】
【０００１】
本発明は、シトラスフルーツの個々のセグメントあるいは数個のセグメントを、片手操作可能なシトラスフルーツ切片器を使って取り出す、手動の器具に関するものである。
【背景技術】
【０００２】
シトラスフルーツの一つのセグメントあるいは複数のセグメントを切り取る器具が多くの特許で開示されている。例えば、米国特許第２３２１７２５号は、最も基本的なタイプの切片器を開示しており、単片の平形金属ワイヤーのブレードを湾曲させてループを形成し、フルーツのセグメント中に前記ワイヤーを引き抜くといった技術を開示している。また、米国特許第１７９４８００号は、別のタイプの切片器を開示しており、フルーツの一つのセグメントあるいは複数のセグメント中に単一のブレードを引き抜くといった技術を開示している。カナダ特許第４７０４３６号は、更に複雑な切片器を開示しており、その器具を使い、シトラスフルーツの全セグメントを同時に取り出すのだが、それは固定された三角形のブレードに対して、両手を使い可動スクープを作動することを義務付ける。
【発明の開示】
【発明が解決しようとする課題】
【０００３】
前記カナダ特許に開示された切片器は、一つのセグメントあるいは多数のセグメントをスライスし、その後、スクープと固定された三角形の切断ブレードとの間に、前記セグメントが捕獲されるまで、シトラスフルーツの皮の表面の内側に沿って、曲線状の可動スクープを移動することで、セグメントを導くという利点を持つ。しかしながら、前記カナダ特許の器具は、使い難く、したがって、簡単にグレープフルーツのセグメントあるは大きなオレンジのオレンジセグメントを切り出したいという願望を損なうものである。
【０００４】
米国特許第６２４３９５２号（ＨＯＬＣＯＭＢ  ＥＴ  ＡＬ）は、ラック−ピニオン装置システムと連結した、一対の指先操作によって可動スクープがシトラスのフルーツ中へ移動する、片手作動式シトラスフルーツ切片器を開示している。この米国特許第６２４３９５２号に関しては、その出願内容全体をここに引用するものとする。
【０００５】
しかしながら、米国特許第６２４３９５２のフルーツ切片器は、ギアの歯にシトラスフルーツが溜まるためにメインテナンスが難しく、その内部機構がもたらす利点は、指先作動機構で求められた以上の進化を求めるものではなく、曲線状可動スクープを完全にシトラスフルーツ中へ押し込むのに充分な力を発揮するものではない、といったエゴノミックな問題を提起することがわかった。
【課題を解決するための手段】
【０００６】
本発明は、シトラスフルーツのセグメントを取り出す装置に関するものである。本発明の三つの目的は、様々な大きさの手につかみ易いハンドルを作ること、詰りを減らしてメインテナンス性を高めるために作動機構を簡単にすること、そしてシトラスフルーツ中を可動スクープが移動する時の機械的利点を向上させることにある。
【０００７】
本発明の第一実施例における一つの特徴は、全部ではないが、一つあるいは数個のセグメントを、一つあるいは二つのハンドルの開閉動作を通じて、取り出すことの出来るワンハンド作動可能なシトラスフルーツ切片器の提供をすることにある。そこでは、ハンドルを閉鎖位置に移動させることで、可動スクープを縮径位置から拡張位置に移動して、スクープと固定ブレードとの間にセグメントが捕獲される。このワンハンド作動は、操作が簡単で、使い易く、その上調節が容易であるといった利点を持つ。
【０００８】
本発明の第二の特徴は、最小労力でシトラスフルーツ中にシトラスフルーツ切片器の曲線可動スクープを挿入することが出来るユニークな作動機構である。そこでは、第一ハンドル、好適にはユーザの指でつかめるよう設計した第一ハンドルは、第二ハンドルに対して、枢支部で回転する。第一ハンドルは、作動的にカム機構に接続されている。カム機構は、第一ハンドルのピンを受け入れるために、細長いスロットを有している。前記スロット中の第一ハンドルのピンは、その枢支部付近でカムが回転するように構成されている。
【０００９】
したがって、切片器を既にシトラスフルーツ中へ押し入れたユーザは、ハンドルにグリップ力をかけるだけで、一つまたは両方のハンドルを閉鎖位置に移動させることができ、よってカムの回転を起こし、シトラスフルーツの中へ可動スクープを進入させることとなる。
【００１０】
第一ハンドルとカム機構の間の相互作用は、ユーザによりハンドルを閉鎖位置にするグリップ力と、それに相当する、カム機構によりシトラスフルーツへ曲線可動スクープを押し込むのにかける力との相互間関係に、機械的な利点をもたらすこととなる。その機械的利益は、カム枢支位置と第一ハンドルのピン部分との間の距離が、ハンドルが閉鎖位置に移動するにつれて、絶えず増加するために得られるものである。
【００１１】
そのため、ユーザによって、ハンドルを同時にグリップする一定の力が、曲線可動スクープがフルーツ上に向ける継続的に増加する力へと変換されるのである。
【００１２】
本発明の第三の特徴は、切片器の作動構成の単純さである。カム機構、第一ハンドル、そして可動スクープのスムースな等高面が、切片器の手入れと維持を非常に容易なものにする。
【００１３】
本発明の第二実施例は、カム機構をレバー作動機構に代替したものである。第二実施例では、第一ハンドルが、第一ハンドルレバーとなり、第二レバーとの接触を維持する面を有する。
【００１４】
第一レバーは、第一ハンドルレバーの中央領域の固定位置付近で枢支されていて、第二レバーは、第二レバーの下部領域の固定位置付近で枢支されている。レバーの枢支位置の反対側に位置する第二レバーの端部は、曲線可動スクープに付いており、第二レバーの回転が、曲線可動スクープをシトラスフルーツの中へと移動させるような構成となっている。
【００１５】
第一ハンドルレバーと第二レバーとは、殆どの、あるいは全作動サイクル中、相対連結状態を維持する。第一ハンドルレバーと第二レバーは、等高線状に形成され、隆起連結面を持つことも可能である。
【００１６】
夫々のレバーの相対的回転は、第一実施例において記述されたものに近い機構的利点を提供する。根本的には、ユーザにより加えられたグリップ力は、第二レバーの枢支位置でのトルクの増加に相当する。
【００１７】
その上、弾性部材は、第二レバーに接続されることも可能であり、グリップ力が、装置に加えられていない時に、弾性部材が、第一ハンドルレバーと第二ハンドルを開放位置にするものである。
【００１８】
しかし、第一実施例において記述されたように、その弾性部材は、作動部位の外側にあることも可能である。このような構成では、弾性部材は、シトラスフルーツへ影響の及ぼすことも無く、切片装置の手入れと維持を容易にすることが可能となる。
【発明を実施するための最良の形態】
【００１９】
本詳細の記述は、一つあるいは複数のシトラスフルーツのセグメントを片手で取り出す装置に関するものである。本発明の幾つかの実施例の詳細が、これらの実施例を完全に理解できるように、以下の記述に説明されており、これらの実施例は、図１から図７の説明で完全に理解されるものである。しかし、本発明において、更なる実施例の追加が可能であり、以下の詳細な説明と図面で説明すること無しに、実施が可能であると、当業者は理解する。
【００２０】
図１から図６に描写されている第一実施例において、切片器は、二つの手でグリップ可能なハンドル１００と２００を有し、弾性部材４００（図４）により、前記ハンドル１００，４００が離されている。第一ハンドル１００は、カム機構３００（図４）と連結している。
【００２１】
カム機構３００の回転は、ユーザが片手で第一ハンドル１００と第二ハンドルを閉鎖位置に（図５を参照）グリップすることにより起こり、曲線可動スクープ３０３をシトラスフルーツの内側の表面に沿って押し込むこととなる。曲線可動スクープ３０３は、替わりに、三角ブレード２０６の曲線面２０７沿いに移動して、セグメント形の区画２０８を形成する。
【００２２】
セグメントを捕獲した後、弾性部材４００（図４）は、ユーザがそのグリップを解放した後、第一および第二ハンドル１００，２００を開放位置（図４を参照）に戻すように強いる働きをする。
【００２３】
例えば、弾性部材４００は、トーションスプリングであることも可能である。弾性部材４００は、図４と図５とに説明されており、第一ハンドル１００と連結されて、そして第二ハンドル２００とトーション枢支位置２０３において接続されている。
【００２４】
弾性部材４００は、第一ハンドル１００を第二ハンドル２００から離し、そして開放位置へと促すように働く。弾性部材４００による抵抗は、第一１００そして第二２００ハンドルが離れるように促すが、ハンドルを閉鎖位置へグリップするのを不利に防いだりしないように調整されている。
【００２５】
ハンドル把持可能なグリップ１０１と１０２は、それぞれ等高線状、あるいはユーザの手のひらと指の形に適合するように選択することも可能である。例えば、等高面のグリップ１０１あるいはユーザの手の指を受けるために弾力被覆を試みることが可能である。それに対応して、第二ハンドルのグリップ２０２あるいは弾力被覆部は、ユーザの手のひらを受け取るために丸く、スムースにすることも可能である。
【００２６】
第二ハンドル２００は、親指レスト２０１を有することも可能で、それにより、ユーザは、下向きの力を親指で加え、最初にシトラスフルーツの中へ三角のブレード２０６を促す手助けとすることが可能となる。ここに図示した切片器は、一般に切片器の第二ハンドル２００に対して固定された三角のブレード２０６を有する。三角のブレード２０６は、曲線の末端ブレード２０７で構成され、それはシトラスフルーツの皮の内面の合わせている。
【００２７】
三角ブレードの前縁２０５は、シトラスフルーツの中央部分から挿入することが可能であり、ブレードの曲線の末端２０７は、シトラスフルーツの皮の内面に適合可能である。ブレード２０６，３０３は、ステンレススチールあるいは酸性のシトラスの汁による腐食に抵抗できるものを選択することが可能である。
【００２８】
三角ブレード２０６は、切片器に従来の付着法で固定することが可能である。その他の実施例において、三角ブレードは、フレンジ付きの端部を持つ、硬質プラスティックでも形成可能である。三角ブレード２０６と切片器の連結は、三角ブレードを洗うために取り出すことが迅速で簡単な、スナップフィット式連結にすることも可能である。三角ブレードに隣接の曲線可動スクープ３０３は、縮径位置あるいは開放位置から（図４を参照）から拡開または閉鎖位置（図５を参照）へと移動が可能である。
【００２９】
曲線可動スクープ３０３の伸張時には、三角ブレード２０６を補い、セグメント形の区画２０８を形成するものである。
【００３０】
本発明の実施例において、曲線可動スクープ３０３とカム機構３００との連結は、（すなわち溶接や機械的締結手段で以って）永久接続とすることも可能である。しかしながら、曲線可動スクープ３０３のカム機構３００への接続は、掃除や研磨処理を考慮にいれて、簡単に取り外しが可能な構成とすることも可能である。
【００３１】
曲線可動スクープ３０３を縮径位置から解放位置に伸張するための作動機構は、図４から図６に図示されている。切片器の作動構成要素は、主に切片器のハウジング２０９内に含まれている。前記作動構成要素は、第一ハンドル１００、カム機構３００、そして曲線可動スクープ３０３を有する。ユーザが加えたグリップ力によって、第一ハンドル１００を第一ハンドル枢支位置１０２で回転させ、その回転が第二ハンドルへとつながる。第一ハンドルの枢支位置１０２は、第二ハウジング２０９（図６）からピンが内側へ突出するように構成することが可能である。
【００３２】
第一ハンドル１００は、さらに下方ピン１０３を有し、前記下方ピン１０３は、カム機構３００の細長いスロット３０１に接続されるようになっている。第一ハンドルピン１０３とカム機構３００の細長いスロット３０１との間の相互作用が、カム枢支位置３０４における、カム機構３００の回転を生み出す。切片器が、開放位置にある時、細長いスロット３０１の主要軸は、従来の第一ハンドル１００（図４を参照）の主要軸と一般的に平行であることが可能である。これとは逆に、切片器が、閉鎖位置にある時、細長いスロット３０１の主要軸は、従来の第一ハンドル１００（図５を参照）の主要軸に垂直であることが可能である。
【００３３】
細長いスロット３０１は、前記のように、第一ハンドルピン１０３を受けるものである。さらにカム機構３００は、カム枢支位置３０４とスクープ端部３０２を含むものである。
【００３４】
カム機構３００のスクープ端部３０２は、曲線可動スクープ３０３の接触可能である。カム枢支位置３０４からカム機構のスクープ端部３０２までの距離は、通常曲線可動スクープ３０３により形成された弧の半径と等しく、それは、曲線可動スクープ３０３が、シトラスフルーツの皮の内面と等高線状に沿うことが望ましいためである。
【００３５】
カム機構３００に対する第一ハンドル１００の構成は、ハンドルが閉鎖位置においては、第一ハンドル１００が、第一ハンドル枢支位置１０２に対して、時計回りの方向に回転するようになっている。
【００３６】
それに相対して、カム機構３００は、第一ハンドルのピン１０３によりカム枢支位置３０４において反時計回りに回転させられる。本発明の発明者は、この回転方向が可逆となることを評価している。機械的な利点は、第一ハンドル１００に対してのカム機構３００の新規な構成とダイナミックな連結性により得られる。
【００３７】
特に、カム機構３００の細長いスロット３０１は、カム枢支位置３０４に対し、第一ハンドルピン１０３の距離の変更を可能とするものである。図示された実施例は、第一ハンドルピン１０３が、細長いスロット３０１の中でカム枢支位置３０４から離れる動きをすると、カム枢支位置３０４におけるトルクが増加するように構成されている。そのため、ユーザは、曲線可動スクープ３０３が、シトラスフルーツ内へ簡単に移動し、ユーザがグリップする以外の力を出さなくてもいいことに気付くこととなる。
【００３８】
曲線可動スクープが拡張位置になった後、ユーザは、単純に二つのハンドル１００と２００を閉鎖位置に維持し、そしてセグメントをフルーツから取り出すことが可能であり、それによりシトラスフルーツの一つ以上のセグメント形状部２０８を取り除くことが可能となる。
【００３９】
弾性機構４００は、ユーザに第一ハンドル１００および第二ハンドル２００のグリップを単にゆるめることでハンドルが開放位置へと跳ねもどるようになっており、それによりフルーツのセグメントをリリースすることとなる。
【００４０】
第二ハンドル２００は、ユーザの手のひらにフィットするように等高線状にすることも可能なグリップ２０２と、作動構成要素を収納するためのハウジング２０９と、通常は三角のブレード２０６とを有する。ハウジングは、カム機構３００の移動を限定するためのストッパー２０４も含むものである。
【００４１】
本発明の第二実施例は、図７に図示されており、第二レバー３５０をカム機構の代替部材としている。第二ハンドル２５０は、第一実施例の関連部材として説明された第二ハンドル２００と殆ど同様である。第二ハンドル２５０とその本体は、グリップ２５１と、ハウジング２５７と、第二レバー３５０の移動を制限するストップ２５６とを有することが可能である。
【００４２】
それに加えて、末端２５２と前縁２５４とを持つ三角ブレード２５３は、第一実施例の関連で説明した三角のブレード２０６と似ている。最後に、曲線可動スクープ３５５は、前記の曲線可動スクープ３０３とあまり変わりがない。第二実施例において、第一ハンドルレバー１５は、グリップ１５１と、枢支位置１５２と、接触部１５３とを含み、第二レバー３５０と接触している。第二レバー３５０は、レバー枢支位置３５１と、長手方向接触部３５２と、スクープ３５３とを含むものである。
【００４３】
第一ハンドルレバー１５０は、本体と第二ハンドル２５０の交差位置付近の枢支位置１５２辺りで回転し、第二レバー３５０は、本体の低部にあるレバー枢支位置３５１で回転する。第一ハンドルレバーと第二レバー３５０は作動サイクルの間、相対接触を維持することが可能である。第一ハンドルレバー１５０と第二レバー３５０とは、隆起接面１５３と３５４を形成するために等高線状に成形することが可能である。各々に対してのレバーの相対回転は、機械的利点を提供し、それは第一実施例において説明されたものと似ている。根本的には、ユーザにより出される一定のグリップ力は、第二レバー枢支位置３５１における回転力の増加と一致するものである。
【００４４】
それに加えて、弾性部材４５０は、三角ブレード上端２５３と接触が可能であり、ユーザが、グリップ力を加えていない時に、弾性部材が、第一ハンドルレバー１５０と第二ハンドル３５０とを開放位置に促すように構成してある。しかし、ハウジング２５７の作動部の外側に、弾性部材４５０を位置づけることが望ましいかもしれない。そうすることで、弾性部材４５０はいかなるシトラスフルーツの残留物と接触をうけることも無く、それゆえ、切片装置の手入れと保存をより簡単にするものである。
【００４５】
ここに説明したことを検討後に確実に明白となるように、切片器は、自由な手がシトラスフルーツの切り取られた半分を持つのに使われている間に、片手で両方のハンドル１００と２００をグリップすることで作動する。ユーザは、その後三角ブレード２０６を、フルーツの中へとブレードの端部がフルーツの皮の内側と係合するまで押す。ユーザは、その後第二ハンドル２００に対して第一ハンドル１００を閉鎖位置へと引き、それにより曲線可動スクープ３０３をフルーツの中へと拡張する。
【００４６】
第一ハンドル１００とカム機構３００の相互作用によって供給される機械的利益が理由で、ユーザはハンドルを閉鎖位置にグリップするために大きな力を加える必要がない。
【００４７】
この独特な片手作動は、他の機構によっても達成することが可能であるが、カム作動装置の利点は他の切片器よりも利益を持っている。なぜなら、それは切片器を使い易くし、そして十分な力を提供することで、一般ユーザにとってフルーツのセグメントを取り出すためにグリップするハンドルをグリップする最低限の圧力を使えばよくなっている。カム機構３００のさらなる利益は、切片器の維持と手入れの簡単さにある。
【００４８】
しかし、当業者により本作動機構に対する様々な変更が可能であり、よって本発明は、図面に示された特定の実施例に限定されることはない。
本発明の明細書および／または出願データシートに記載された、全ての米国特許、米国出願公開、米国特許出願、外国特許、外国特許出願、そして特許前の公開は、ここにその全体を引用するものである。
【図面の簡単な説明】
【００４９】
【図１】ハンドルが開放位置における本発明の第一実施例の切片器を説明する外観図。
【図２】図１のハンドルが開放位置の切片器の端部を示す外観図。
【図３】図１のハンドルが閉鎖位置の切片器の端部を示す外観図。
【図４】図１の開放位置の切片器を、図２の４−４で示す断面図。
【図５】図１の閉鎖位置の切片器を、図３の５−５で示す断面図。
【図６】図１の切片器を、図２の６−６で示す分解断面図。
【図７】本発明の第二実施例における切片器の断面図。
【図１】
2004267747.tif 000003
【図２】
2004267747.tif 000004
【図３】
2004267747.tif 000005
【図４】
2004267747.tif 000006
【図５】
2004267747.tif 000007
【図６】
2004267747.tif 000008
【図７】
2004267747.tif 000009
【外国語明細書】
2004267747000001.pdf